(57)【要約】      （修正有）【課題】利用したい楽曲が見つかるまで複数の楽曲を連続して聴き比べることができる仕組みを提供する。【解決手段】インターネットで公開された複数の楽曲より構成され楽曲を聴くための機能を有したサイトは、それぞれの楽曲を識別するための固有の識別情報をもち、そこで取得した識別情報と携帯電話またはＰＣに保存された動画または写真を指定した動画編集サーバ宛にメール送信またはインターネットのサイト上からアップロードを行うことで、転送された動画または静止画に楽曲の識別情報に紐付く動画編集サーバにあらかじめ準備されたサウンドデータと楽曲情報を挿入し合成された新しい動画を生成する。【選択図】図１
2010128486.tif 000002
【特許請求の範囲】
【請求項１】
インターネットで公開された複数の楽曲より構成され楽曲を聴くための機能を有したサイトで、それぞれの楽曲を識別するための固有の識別情報をもち、そこで取得した識別情報と携帯電話またはＰＣに保存された動画または写真を指定した動画編集サーバ宛にメール送信またはインターネットのサイト上からアップロードを行うことで、転送された動画または静止画に楽曲の識別情報に紐付く動画編集サーバにあらかじめ準備されたサウンドデータと楽曲情報を挿入し合成された新しい動画が生成される仕組み。
【請求項２】
請求項１記載で新しい動画を生成するさいに楽曲の識別情報に紐付く楽曲情報を挿入し動画再生時に表示させる仕組み。
【請求項３】
請求項１記載で生成された新しい動画を請求項１記載のメール送信またはインターネットのサイト上からアップロードした者にメールに添付して返信またはインターネットのサイト上からダウンロードする際に楽曲の識別情報に紐付く楽曲の情報を配信する仕組み。
【請求項４】
請求項１記載で生成された新しい動画を請求項１記載のメール送信またはインターネットのサイト上からアップロードした者以外の者にメールに添付して返信またはインターネットのサイト上からダウンロードする際に楽曲の識別情報に紐付く楽曲の情報を配信する仕組み。
【発明の詳細な説明】
【技術分野】
【０００１】  この発明は、携帯電話やＰＣに保管された動画または写真とインターネットのサイト上に公開された楽曲を組み合わせた楽曲プロモーションシステムに関する。
【背景技術】
【０００２】  従来よりインターネットのサイト上でプロモーションを行いたい楽曲を公開し個人がその楽曲を聴くことができる仕組みは、数多く存在している。それらの仕組みは、図２に示すように個人が選択した楽曲を聴くことのみを目的とした仕組みである。
【発明の開示】
【発明が解決しようとする課題】
【０００３】  しかしながら、以上の技術によれば、プロモーションの為にインターネットのサイト上で公開されている複数の楽曲の中から一つの楽曲を聴いた段階で楽曲を聴くという一回の目的が達成しており、引き続き、他の楽曲を聴くという次の目的行為に結びつけることは難しかった。【０００４】  そこで、この発明は、単にプロモーションを行いたい楽曲を聴くのみでなく、その楽曲を利用する仕組みを提供し、楽曲を聴く行為を個人が利用したい楽曲を見つけるための行為にすることで、その利用したい楽曲が見つかるまで複数の楽曲を連続して聴き比べることができる仕組みを提供することを課題とする。
【課題を解決するための手段】
【０００５】  以上の課題を解決するために、第一発明は、インターネットで公開された複数の楽曲より構成され楽曲を聴くための機能を有したサイトで、それぞれの楽曲を識別するための固有の識別情報をもち、そこで取得した識別情報と携帯電話またはＰＣに保存された動画または写真を指定した動画編集サーバ宛にメール送信またはインターネットのサイト上からアップロードを行うことで、転送された動画または静止画に楽曲の識別情報に紐付く動画編集サーバにあらかじめ準備されたサウンドデータと楽曲情報を挿入し合成された新しい動画が生成される仕組みである。【０００６】  また、第二発明は、新しい動画を生成するさいに楽曲の識別情報に紐付く楽曲情報を挿入し動画再生時に表示させる仕組みである。【０００７】  また、第三発明は、生成された新しい動画をメール送信またはインターネットのサイト上からアップロードをした者にメールに添付して返信またはインターネットのサイト上からダウンロードする際に楽曲の識別情報に紐付く楽曲に関連する情報を配信する仕組みである。【０００８】  また、第四発明は、生成された新しい動画をメール送信またはインターネットのサイト上からアップロードをした以外の者にメールに添付して返信またはインターネットのサイト上からダウンロードする際に楽曲の識別情報に紐付く楽曲に関連する情報を配信する仕組みである。
【発明の効果】
【０００９】  第一発明によれば、携帯電話やＰＣに保管された動画や写真とサウンドデータを合成した新しい動画を生成する仕組みにおいて、インターネットのサイト上で携帯電話やＰＣに保管された動画や写真に挿入する為の楽曲を選択する行為が必要となる。この楽曲を選択する行為が、その合成された新しい動画のイメージに合致する楽曲を探すことが目的となる。そのため、合成後の新しい動画のイメージにあった楽曲を見つけるという目的を達成するまで複数の楽曲を連続して聴き比べることとなる。【００１０】  または第二発明によれば、生成された新しい動画に採用された楽曲の識別情報に紐付く楽曲の情報が表示されることで、その新しい動画を再生する毎に採用された楽曲の情報を閲覧者に伝達し、サウンドデータとともに楽曲情報を用いたプロモーションが可能になる。【００１１】  または第三発明によれば、生成された新しい動画に採用された楽曲の識別情報に紐付く楽曲の情報をこの新しい動画の生成を実行した者にメールまたはインターネットのサイト上で確実に配信することが可能となり、新しい動画に挿入されたサウンドデータとともに楽曲情報を用いたプロモーションが可能になる。【００１２】  または第四発明によれば、生成された新しい動画に採用された楽曲の識別情報に紐付く楽曲の情報をこの新しい動画の生成を実行した者以外の者にメールまたはインターネットのサイト上から配信することが可能となり、新しい動画に挿入されたサウンドデータとともに楽曲情報を用いたプロモーションが可能になる。
【発明を実施するための最良の形態】
【００１３】  この発明の一実施形態を、図１に示す。
インターネット上の楽曲プロモーションサイト１は、複数の楽曲から構成されており、それぞれの楽曲を聴くことが可能となっている。携帯電話３とＰＣ４には、動画ファイル５や写真ファイル６をこのシステムを利用する本人２が保管している。【００１４】  このシステムを利用する本人２が携帯電話３またはＰＣ４を用いインターネット上の楽曲プロモーションサイト１で公開されている動画５または写真６に挿入したい楽曲を探し７、楽曲を聴き８、動画５または写真６に挿入したい楽曲を選定後、楽曲とその楽曲に紐付く楽曲固有の識別情報９より、その楽曲の識別情報１０をインターネット上の楽曲プロモーションサイト１より取得する。【００１５】  楽曲プロモーションサイト１より取得した識別情報１０と携帯電話３とＰＣ４に保管されている動画５または写真６をこのシステムを利用する本人２が携帯電話３またはＰＣ４より指定した動画編集サーバ１１宛にメール送信またはアップロード１２を行い識別情報１０と動画５または写真６を動画編集サーバ１１に転送する。【００１６】  動画編集サーバ１１は、メール送信またはアップロード１２で転送された識別情報１０を用い識別情報とその識別情報に紐付くサウンドデータ情報１３に照会を行い該当するサウンドデータ１４を挿入するサウンドデータとして抽出しメール送信またはアップロード１２で転送されてきた動画５または写真６と合成１５をし新しい動画１６を生成する。【００１７】  動画編集サーバ１１は、メール送信またはアップロード１２で転送された識別情報１０を用い識別情報とその識別情報に紐付く楽曲情報１７に照会を行い該当する楽曲情報１８を抽出し新しい動画１６に楽曲情報１８を挿入する。【００１８】  動画編集サーバ１１は、生成された新しい動画１６を本人２宛てにメール返信または本ダウンロード２０を行う。【００１９】「実施形態の効果」
この実施形態によれば、新しい動画１６の完成イメージに合致する楽曲を楽曲プロモーションサイト１の複数の楽曲の中から楽曲を探し７、楽曲を聴く８行為を連続して繰り返し行うようになる。したがって、楽曲プロモーションのために必要な連続して楽曲を聴く行為を創生することが可能となる。【００２０】  また、本人２が保管していた動画５または写真６にサウンドデータ１４を挿入し構成された新しい動画１６は、新規に生成された後も再度再生閲覧することが考えられ、そのつど挿入されたサウンドデータ１４を聴くのと同時に楽曲情報１８を見る機会が発生し、サウンドデータ１４を聴くのと同時に楽曲情報１８、楽曲情報１９を用いた楽曲のプロモーションが可能となる。【００２１】  さらには、新しい動画１６と楽曲情報１９を新しい動画１６を本人以外２１に新しい動画と楽曲情報をメールで返信またはダウンロードする仕組み２０を利用させることで、サウンドデータ１３と楽曲情報１８、楽曲情報１９を用いて作成した本人以外２１への楽曲のプロモーションが可能となる。【００２２】「他の実施形態」
図１の実施形態では、楽曲を探し７、楽曲を聴く８為のもの、メール送信またはアップロード１２を行う為のものが携帯電話３とＰＣ４であったが、他の実施形態では、動画や写真が個人で保管できインターネットに接続可能で動画の再生が可能なデバイスでも良い。【００２３】  また、識別情報１０は、紙媒体で紹介した楽曲とそれに紐付く紙媒体に印刷されたバーコードで提供することでも良い。
【図面の簡単な説明】
【００２４】
【図１】この発明のプロモーションシステムの流れを示す図である。
【図２】従来技術を示す図である。
【符号の説明】
【００２５】１  インターネット上の楽曲プロモーションサイト
２  このシステムを利用する本人
３  携帯電話
４  ＰＣ
５  動画ファイル
６  写真ファイル
７  楽曲を探す振る舞い
８  楽曲を聴く振る舞い
９  楽曲とその楽曲に紐付く楽曲固有の識別情報
１０  取得した識別情報
１１  動画編集用サーバ
１２  動画または写真と識別情報をメールで送信またはアップロードを行う仕組み
１３  識別情報とその識別情報に紐付くサウンドデータ情報
１４  識別情報により抽出されたサウンドデータ
１５  動画または写真とサウンドデータ、楽曲情報を合成する仕組み
１６  新しい動画
１７  識別情報とその識別情報に紐付く楽曲情報
１８  識別情報により抽出された新しい動画に挿入する楽曲情報
１９  識別情報により抽出された配信用データとして利用する楽曲情報
２０  新しい動画と楽曲情報をメールで返信またはダウンロードする仕組み
２１  本人以外
【図１】
2010128486.tif 000003
【図２】
2010128486.tif 000004